(57)【特許請求の範囲】
【請求項１】
閉塞防止機構を備える河道浚渫装置であって、
対称的に設置されるプラスチックハウジング１と、両プラスチックハウジング１の間に
接続される固定板２とを含み、
固定板２に可変縦長の浚渫機構８が設けられており、浚渫機構８は固定板２の上端を貫
通して固定板２の下側まで延伸しており、
浚渫機構８の下側に、外部環境の変化に基づき浚渫角度を調整可能な調節機構９が設け
られており、
調節機構９の浚渫機構８と反対側の一側に堆積泥中の混在物による調節機構９の閉塞を
防止する閉塞防止機構１０が設けられており、
固定板２の下側に河道の堆積泥を掻廻する掻廻機構が設けられており、
掻廻機構の外側に、浚渫機構８と掻廻機構とを同期して縦方向に移動させるように駆動
する位置制限構成６が設けられており、
固定板２に、掻廻機構を限位固定するとともに、掻廻機構を縦方向に移動駆動するプッ
シュ機構が設けられており、
固定板２上にプッシュ機構を回動駆動する伝動機構が設けられており、
浚渫機構８は固定板２の上端に固定設置される接続管８１と、接続管８１の下端に接続
され、固定板２の底端を貫通する第１波紋管８２とを、含み、第１波紋管８２の下側寄り
の外端に位置制限板８３が固定設置されており、
調節機構９は位置制限板８３の底端に固定設置される第２波紋管９２と、第２波紋管９
２の位置制限板８３と反対側の一端に固定設置される入水管９１と、入水管９１の外壁に
固定設置されるコラム９３と、位置制限板８３の底端に固定設置される接続ロッド９４と
、入水管９１の右端に固定設置される支持ロッド９８と、ナット９７によって位置制限板
８３の上端に接続されるネジロッド９６と、およびネジロッド９６の下端に固定設置され
る接続ソケット９５とを含み、コラム９３と接続ロッド９４とが回動可能に接続されてお
り、支持ロッド９８と接続ソケット９５とが回動可能に接続されており、
閉塞防止機構１０は入水管９１の内壁に固定設置される固定ロッド１０１と、固定ロッ
ド１０１の中心部位に滑動可能に接続されるプッシュロッド１０２と、プッシュロッド１
０２の外壁に固定設置される複数個のフック機構１０４とを含み、固定ロッド１０１の左
端に復帰ばね１０３が固定設置されており、復帰ばね１０３の左端とフック機構１０４と
が接触しており、復帰ばね１０３がプッシュロッド１０２の外側に位置しており、各フッ
ク機構１０４はぞれぞれプッシュロッド１０２に円周状に配置される複数個の円錐体を含
み、
伝動機構は、固定板２の上端に固定設置される固定ホルダ４２と、固定ホルダ４２の上
端に固定設置されるモータ４１と、固定板２の上端それぞれ回動可能に接続される第１プ
ーリ５１および第２プーリ５３と、第１プーリ５１および第２プーリ５３の外端に外套さ
れるベルト５２と、を含み、モータ４１の出力端が固定ホルダ４２の上端を貫通して、第
１プーリ５１に固定されており、第１プーリ５１と第２プーリ５３の間において接続管８
１、固定ホルダ４２、第１プーリ５１および第２プーリ５３が右から左まで順次に配置さ
れており、
プッシュ機構は、第２プーリ５３の上端に固定設置される固定筒３１と、筒３１の上端
に接続固定される取付板７５と、取付板７５の下端に固定設置されるリニアモータ７６と
を含む、
ことを特徴とする閉塞防止機構を備える河道浚渫装置。
【発明の詳細な説明】
【技術分野】
【０００１】
本発明は、河道浚渫装置に関するもので、特に、閉塞防止機構を備える河道浚渫装置に関
する。
【背景技術】
【０００２】
川ルートは、一般的に通航路を意味する。その河道はＩ、ＩＩ、ＩＩＩ、ＶＩ、ＩＶの５
レベルとされている。堆積泥とは、静水や緩慢流の中で堆積した、機械質を含む微細土を
いう。また、静水または緩慢流で堆積し、物理化学的および生物学的作用によって形成さ
れた、未固の軟弱細粒または極細粒土をもいう。実は、堆積泥は現代的堆積物であると言
えている。また、粒度によって、堆積泥は粉土質と粘土質がある。滅多に見えないが、微
細砂質や極細砂質もある。そのうちでは、浜泥の粘土鉱物はイライトとモンモリロナイト
を主とし、また、淡水泥はイライトとカオリナイトを主とする。また、堆積泥における有
機質の含有量は、多ければ２〜３％が含まれることがあり、大量の場合は１０〜１２％も
含有可能である。それが、深さの増加とともに減少する。
【０００３】
従来では、狭い川の浚渫は、汚水ポンプを使用して底泥をそのまま抽出することが一般的
である。時々、堆積泥中にプラスチック袋が発見することがある。もし、プラスチック袋
を川浚渫時において、汚水ポンプのパイプ内などに吸い込むとしたら、そこに詰まりを引
き起こすおそれがある。また、従来の浚渫作業は、吸込パイプの川底での位置や角度を調
整することが困難で、汚泥の抽出が実に不便である。加えて、堆積泥のため、川底作業な
ので、直接抽出することには、難度が大きい。
【発明の概要】
【０００４】
１、解決しようとする課題
上記の問題を解決するために、本発明は、渫作業際における向き角度を調節できる調節機
構が設けられているので、様々な条件下での堆積泥浚渫に対しても適応が可能である。ま
た、閉塞防止機構が設けられてい流ので、捨てられたプラスチック袋によって調節機構を
閉塞することが防止される。また、河道に積み重ねた泥を掻廻す掻廻機構が設けられてい
るので、以降の浚渫作業に寄与できる。さらに、位置制限構成が設けられているので、浚
渫機構を掻廻機構と同期に縦方向に移動させることができ、河道の深度にかかわらずに掻
廻しと浚渫の作業が可能である閉塞防止機構を備える河道浚渫装置を提供する。
【０００５】
２、技術方案
上記の問題を解決するために、以下の技術方案を採用する。
閉塞防止機構を備える河道浚渫装置は、
対称的に設置されるプラスチックハウジング１と、両プラスチックハウジング１の間に接
続される固定板２とを含み、
固定板２に可変縦長の浚渫機構８が設けられており、浚渫機構８は固定板２の上端を貫通
して固定板２の下側まで延伸しており、
浚渫機構８の下側に、外部環境の変化によって自動的に浚渫角度を調整可能な調節機構９
が設けられており、
調節機構９の浚渫機構８と反対側の一側に堆積泥中の混在物による調節機構９の閉塞を防
止する閉塞防止機構１０が設けられており、
固定板２の下側に河道の堆積泥を掻廻する掻廻機構が設けられており、
掻廻機構の外側に浚渫機構８と掻廻機構とを同期に縦方向に移動させるように駆動する位
置制限構成６が設けられており、
固定板２に、掻廻機構を限位固定するとともに、掻廻機構を縦方向に移動駆動するプッシ
ュ機構が設けられており、
固定板２上にプッシュ機構を回動駆動する伝動機構が設けられている。
【０００６】
好ましくは、浚渫機構８は固定板２の上端に固定設置される接続管８１と、接続管８１の
下端に接続され、固定板２の底端を貫通する第１波紋管８２とを、含む。第１波紋管８２
は伸縮機能を発揮できるものとする。第１波紋管８２の下側寄りの外端に位置制限板８３
が固定設置されている。プッシュ機構によって掻廻機構を下移させると、位置制限構成も
連動して下移する。位置制限構成に連動して位置制限板８３が下移する。それによって第
１波紋管８２が下に引き伸ばされる。このように、掻廻機構を下移させるとともなって浚
渫機構８と調節機構９が下移できるような構成ができる。この構成によって、堆積泥の浚
渫を良好に行うことができる。
【０００７】
好ましくは、調節機構９は位置制限板８３の底端に固定設置される第２波紋管９２と、第
２波紋管９２の位置制限板８３と反対側の一端に固定設置される入水管９１と、入水管９
１の外壁に固定設置されるコラム９３と、位置制限板８３の底端に固定設置される接続ロ
ッド９４と、入水管９１の右端に固定設置される支持ロッド９８と、ナット９７によって
位置制限板８３の上端に接続されるネジロッド９６と、およびネジロッド９６の下端に固
定設置される接続ソケット９５とを含む。ここで、コラム９３と接続ロッド９４とが回動
可能に接続されている。支持ロッド９８と接続ソケット９５とが回動可能に接続されてい
る。第２波紋管９２と第１波紋管８２とが連通している。入水管９１はコラム９３と接続
ロッド９４との回動点を回って回動可能であり、即ち入水管９１の角度を回動調節するこ
とが可能である。これによって、様々な動作環境に適用できる。ナット９７、ネジロッド
９６、接続ソケット９５および支持ロッド９８によって第２波紋管９２を固定しているの
で、第２波紋管９２の端部が垂れ下がることが難しく、入水管９１の回動を邪魔すること
がない。
【０００８】
好ましくは、閉塞防止機構１０は入水管９１の内壁に固定設置される固定ロッド１０１と
、固定ロッド１０１の中心部位に滑動可能に接続されるプッシュロッド１０２と、プッシ
ュロッド１０２の外壁に固定設置される複数個のフック機構１０４とを含む。固定ロッド
１０１の左端に復帰ばね１０３が固定設置されている。復帰ばね１０３の左端とフック機
構１０４とが接触している。復帰ばね１０３がプッシュロッド１０２の外側に位置してい
る１。各フック機構１０４はぞれぞれプッシュロッド１０２に円周状に配置される複数個
の円錐体を含んでいる。プラスチック袋が入水管９１を閉塞するという不都合が発生する
と、水流のスラッシュ力によってプラスチック袋はプッシュロッド１０２を入水管９１の
内部に押し入れる。且つフック機構１０４によってプラスチック袋は入水管９１内におけ
る固定ロッド１０１の左側空間でブロックされる。また、フック機構１０４の具体的構成
によってプラスチック袋の一部位がフック掛けられる。このため、プラスチック袋はフッ
ク機構１０４と入水管９１の間の隙間を介して入水管９１内に入ることが発生できないが
、堆積泥はフック機構１０４と入水管９１側壁の間の隙間を介して吸込される。一方、浚
渫が終わると、本装置を取出して、入水管９１の内部で水流の衝撃力がなくなり、復帰ば
ね１０３の弾性力によって、プッシュロッド１０２が入水管９１外へ移動させられ、さら
にプラスチック袋を突き出す。これによって、プラスチック袋が入水管９１を閉塞するこ
とが発生できない。
【０００９】
好ましくは、伝動機構は、固定板２の上端に固定設置される固定ホルダ４２と、固定ホル
ダ４２の上端に固定設置されるモータ４１と、固定板２の上端それぞれ回動可能に接続さ
れる第１プーリ５１および第２プーリ５３と、第１プーリ５１および第２プーリ５３の外
端に外套されるベルト５２と、を含む。モータ４１の出力端が固定ホルダ４２の上端を貫
通して、第１プーリ５１に固定されている。第１プーリ５１と第２プーリ５３の間におい
て接続管８１、固定ホルダ４２、第１プーリ５１および第２プーリ５３が右から左まで順
次に配置されている。このように構成されると、モータ４１が起動すると、第１プーリ５
１および第２プーリ５３が回動する。第２プーリ５３に連動してプッシュ機構および掻廻
機構を同期に回動させる。これによって、堆積泥を充分に攪拌することができ、よって、
河底に堆積した泥を掻廻することができ、以降の浚渫動作に寄与できる。
【００１０】
好ましくは、プッシュ機構は、第２プーリ５３の上端に固定設置される固定筒３１と、筒
３１の上端に接続固定される取付板７５と、取付板７５の下端に固定設置されるリニアモ
ータ７６とを含む。掻廻機構は、伝動機構によって回転するとともに、水位レベルによっ
て堆積泥の攪拌深度を調節することができる。リニアモータ７６を起動して、その出力端
によって攪拌軸７１を相応の位置まで下移させるように駆動すれば良い。また、取付板７
５と固定筒３１の間は、複数個のネジによって接続されており、容易に分解できる。
【００１１】
好ましくは、掻廻機構は、リニアモータ７６の出力端に固定設置される攪拌軸７１と、攪
拌軸７１の底端に固定設置され、均一に配置される複数個の掻廻爪７２とを含む。堆積泥
を掻廻する際は、掻廻爪７２によって堆積泥をさらに十分に攪拌することができ、堆積泥
による阻碍が低減される。
【００１２】
好ましくは、位置制限構成６は、攪拌軸７１の外側に設けられる止めリング６１と、止め
リング６１と攪拌軸７１との間に固定設置される少なくとも２つの位置決めロッド６２と
を含む。位置制限板８３の左端が、止めリング６１の内側に伸入し、止めリング６１の底
端に接触している。攪拌軸７１が下向きに移動すると、止めリング６１も連動して下向き
に移動する。位置制限板８３に止めリング６１にが押し付けられているので、止めリング
６１を下移させながら、位置制限板８３も連動して下向きに移動する。さらに位置制限板
８３に連動して第１波紋管８２が下向きに引き伸ばされる。これによって、浚渫機構８と
調節機構９の浚渫際における作業距離が大きく増大する。また位置制限板８３が止めリン
グ６１内側へ一定の距離にて進入しているので、止めリング６１により位置制限板８３が
下移させられる過程中（移動ストローク）では、位置制限板８３が容易に止めリング６１
から脱離しない。
【００１３】
３、発明の効果
１）本発明は、浚渫作業際における向き角度を調節できる調節機構が設けられているので
、様々な条件下での堆積泥浚渫に対しても適応が可能である。また、閉塞防止機構が設け
られてい流ので、捨てられたプラスチック袋によって調節機構を閉塞することが防止され
る。また、河道に積み重ねた泥を掻廻す掻廻機構が設けられているので、以降の浚渫作業
に寄与できる。さらに、位置制限構成が設けられているので、浚渫機構を掻廻機構と同期
に縦方向に移動させることができ、河道の深度にかかわらずに掻廻しと浚渫の作業が可能
である。
２）浚渫動作の角度を調節できる調節機構が設けられているので、実際によって適当な角
度から、堆積泥の浚渫作業を行うことができる。
３）閉塞防止機構が設けられているので、廃棄プラスチック袋による調節機構の閉塞が発
生する場合、自動的にプラスチック袋を突き上げることができる。これによって、プラス
チック袋による調節機構の閉塞を効果的に防ぐ。
４）掻廻機構が設けられているので、堆積泥を掻廻し、攪拌破枠することができ、以降の
浚渫動作を容易にさせる。
５）位置制限構成が設けられているので、掻廻機構を縦方向に移動させる時に、浚渫機構
も掻廻機構と同期に移動できる。
【図面の簡単な説明】
【００１４】
【図１】本発明の立体構造の概略図である。
【図２】図１のＡ箇所における構成図である。
【図３】本発明の伝動機構の構成図である。
【図４】本発明の伝動機構の分解図である。
【図５】本発明の閉塞防止機構の構成図である。
【図６】本発明の立体構成図である。
【００１５】
［符号の説明］
１  プラスチックハウジング
２  固定板
３１  固定筒
４１  モータ
４２  固定ホルダ
５１  第１プーリ
５２  ベルト
５３  第２プーリ
６  位置制限構成
６１  止めリング
６２  位置決めロッド
７１  攪拌軸
７２  掻廻爪
７５  取付板
７６  リニアモータ
８  浚渫機構
８１  接続管
８２  第１波紋管
８３  位置制限板
９  調節機構
９１  入水管
９２  第２波紋管
９３  コラム
９４  接続ロッド
９５  接続ソケット
９６  ネジロッド
９７  ナット
９８  支持ロッド
１０  閉塞防止機構
１０１  固定ロッド
１０２  プッシュロッド
１０３  復帰ばね
１０４  フック機構
【発明を実施するための形態】
【００１６】
以下、本発明の実施の形態における図面とともに、本発明の実施の形態における技術的な
態様を明確かつ完全に説明する。
図１〜６は、閉塞防止機構付の河道浚渫装置を示している。対称的に設置されるプラスチ
ックハウジング１と、両プラスチックハウジング１の間に接続される固定板２とを含む。
固定板２に可変縦長の浚渫機構８が設けられている。浚渫機構８は固定板２の上端を貫通
して固定板２の下側まで延伸している。浚渫機構８は固定板２の上端に固定設置される接
続管８１と、接続管８１の下端に接続され、固定板２の底端を貫通する第１波紋管８２と
を、含む。第１波紋管８２は伸縮機能を発揮できるものとする。第１波紋管８２の下側寄
りの外端に位置制限板８３が固定設置されている。プッシュ機構によって掻廻機構を下移
させると、位置制限構成も連動して下移する。位置制限構成に連動して位置制限板８３が
下移する。それによって第１波紋管８２が下に引き伸ばされる。このように、掻廻機構を
下移させるとともなって浚渫機構８と調節機構９が下移できるような構成ができる。この
構成によって、堆積泥の浚渫を良好に行うことができる。
【００１７】
浚渫機構８の下側に、外部環境の変化によって自動的に浚渫角度を調整可能な調節機構９
が設けられている。調節機構９は位置制限板８３の底端に固定設置される第２波紋管９２
と、第２波紋管９２の位置制限板８３と反対側の一端に固定設置される入水管９１と、入
水管９１の外壁に固定設置されるコラム９３と、位置制限板８３の底端に固定設置される
接続ロッド９４と、入水管９１の右端に固定設置される支持ロッド９８と、ナット９７に
よって位置制限板８３の上端に接続されるネジロッド９６と、およびネジロッド９６の下
端に固定設置される接続ソケット９５とを含む。ここで、コラム９３と接続ロッド９４と
が回動可能に接続されている。支持ロッド９８と接続ソケット９５とが回動可能に接続さ
れている。第２波紋管９２と第１波紋管８２とが連通している。入水管９１はコラム９３
と接続ロッド９４との回動点を回って回動可能であり、即ち入水管９１の角度を回動調節
することが可能である。これによって、様々な動作環境に適用できる。ナット９７、ネジ
ロッド９６、接続ソケット９５および支持ロッド９８によって第２波紋管９２を固定して
いるので、第２波紋管９２の端部が垂れ下がることが難しく、入水管９１の回動を邪魔す
ることがない。
【００１８】
調節機構９の浚渫機構８と反対側の一側に堆積泥中の混在物による調節機構９の閉塞を防
止する閉塞防止機構１０が設けられている。閉塞防止機構１０は入水管９１の内壁に固定
設置される固定ロッド１０１と、固定ロッド１０１の中心部位に滑動可能に接続されるプ
ッシュロッド１０２と、プッシュロッド１０２の外壁に固定設置される複数個のフック機
構１０４とを含む。固定ロッド１０１の左端に復帰ばね１０３が固定設置されている。復
帰ばね１０３の左端とフック機構１０４とが接触している。復帰ばね１０３がプッシュロ
ッド１０２の外側に位置している１。各フック機構１０４はぞれぞれプッシュロッド１０
２に円周状に配置される複数個の円錐体を含んでいる。プラスチック袋が入水管９１を閉
塞するという不都合が発生すると、水流のスラッシュ力によってプラスチック袋はプッシ
ュロッド１０２を入水管９１の内部に押し入れる。且つフック機構１０４によってプラス
チック袋は入水管９１内における固定ロッド１０１の左側空間でブロックされる。また、
フック機構１０４の具体的構成によってプラスチック袋の一部位がフック掛けられる。こ
のため、プラスチック袋はフック機構１０４と入水管９１の間の隙間を介して入水管９１
内に入ることが発生できないが、堆積泥はフック機構１０４と入水管９１側壁の間の隙間
を介して吸込される。一方、浚渫が終わると、本装置を取出して、入水管９１の内部で水
流の衝撃力がなくなり、復帰ばね１０３の弾性力によって、プッシュロッド１０２が入水
管９１外へ移動させられ、さらにプラスチック袋を突き出す。これによって、プラスチッ
ク袋が入水管９１を閉塞することが発生できない。
【００１９】
固定板２の下側に河道の堆積泥を掻廻する掻廻機構が設けられている。掻廻機構は、リニ
アモータ７６の出力端に固定設置される攪拌軸７１と、攪拌軸７１の底端に固定設置され
、均一に配置される複数個の掻廻爪７２とを含む。堆積泥を掻廻する際は、掻廻爪７２に
よって堆積泥をさらに十分に攪拌することができ、堆積泥による阻碍が低減される。
【００２０】
掻廻機構の外側に浚渫機構８と掻廻機構とを同期に縦方向に移動させるように駆動する位
置制限構成６が設けられている。位置制限構成６は、攪拌軸７１の外側に設けられる止め
リング６１と、止めリング６１と攪拌軸７１との間に固定設置される少なくとも２つの位
置決めロッド６２とを含む。位置制限板８３の左端が、止めリング６１の内側に伸入し、
止めリング６１の底端に接触している。攪拌軸７１が下向きに移動すると、止めリング６
１も連動して下向きに移動する。位置制限板８３に止めリング６１にが押し付けられてい
るので、止めリング６１を下移させながら、位置制限板８３も連動して下向きに移動する
。さらに位置制限板８３に連動して第１波紋管８２が下向きに引き伸ばされる。これによ
って、浚渫機構８と調節機構９の浚渫際における作業距離が大きく増大する。また位置制
限板８３が止めリング６１内側へ一定の距離にて進入しているので、止めリング６１によ
り位置制限板８３が下移させられる過程中（移動ストローク）では、位置制限板８３が容
易に止めリング６１から脱離しない。
【００２１】
さらに、固定板２に、掻廻機構を限位固定するとともに、掻廻機構を縦方向に移動駆動す
るプッシュ機構が設けられている。プッシュ機構は、第２プーリ５３の上端に固定設置さ
れる固定筒３１と、筒３１の上端に接続固定される取付板７５と、取付板７５の下端に固
定設置されるリニアモータ７６とを含む。掻廻機構は、伝動機構によって回転するととも
に、水位レベルによって堆積泥の攪拌深度を調節することができる。リニアモータ７６を
起動して、その出力端によって攪拌軸７１を相応の位置まで下移させるように駆動すれば
良い。また、取付板７５と固定筒３１の間は、複数個のネジによって接続されており、容
易に分解できる。
【００２２】
固定板２上にプッシュ機構を回動駆動する伝動機構が設けられている。伝動機構は、固定
板２の上端に固定設置される固定ホルダ４２と、固定ホルダ４２の上端に固定設置される
モータ４１と、固定板２の上端それぞれ回動可能に接続される第１プーリ５１および第２
プーリ５３と、第１プーリ５１および第２プーリ５３の外端に外套されるベルト５２と、
を含む。モータ４１の出力端が固定ホルダ４２の上端を貫通して、第１プーリ５１に固定
されている。第１プーリ５１と第２プーリ５３の間において接続管８１、固定ホルダ４２
、第１プーリ５１および第２プーリ５３が右から左まで順次に配置されている。このよう
に構成されると、モータ４１が起動すると、第１プーリ５１および第２プーリ５３が回動
する。第２プーリ５３に連動してプッシュ機構および掻廻機構を同期に回動させる。これ
によって、堆積泥を充分に攪拌することができ、よって、河底に堆積した泥を掻廻するこ
とができ、以降の浚渫動作に寄与できる。
【００２３】
本発明にかかる装置の動作原理について説明する。まず、固定板２を船に組み立てる。次
いでに、モータ４１およびリニアモータ７６を船上の電源へ電気に接続させる。モータ４
１を起動し、第１プーリ５１と第２プーリ５３を回動させる。第２プーリ５３によって、
固定筒３１、リニアモータ７６および攪拌軸７１を回転させる。攪拌軸７１に連動して、
掻廻爪７２が回動し、さらに泥中に差し込んで、堆積した泥を充分に攪拌する。このよう
にして、河底の堆積泥を攪拌し、掻き上げる。また、攪拌軸７１の堆積泥中への差込深度
を変化させるためには、リニアモータ７６を起動して、リニアモータ７６の出力端が伸ば
されることに連動して、攪拌軸７１を下向に移動させて、攪拌軸７１の下移に連動して止
めリング６１を下移させる。ここで、位置制限板８３に止めリング６１が押し付けられる
ので、止めリング６１を下移させながら、位置制限板８３も下移する。ひいては、位置制
限板８３に連動して第１波紋管８２が下方向に伸ばされる。それで、浚渫機構８と調節機
構９の浚渫作業距離が増大される。即ち、堆積泥の吸取り深度を変化可能である。これに
よって、本装置の使用が便利に行える。さらに、第２波紋管９２は可撓性を有するので、
コラム９３と接続ロッド９４との回動、および、接続ソケット９５と支持ロッド９８との
間の回動によって、入水管９１は一定の角度にて角度変化できる。このような動作設計に
よって、浚渫中では、プラスチック袋が入水管９１を閉塞したとしたら、水流の衝撃力に
よってプラスチック袋はプッシュロッド１０２を入水管９１の内部に押し入れ、そしてフ
ック機構１０４によってプラスチック袋は入水管９１内における固定ロッド１０１の左側
空間でブロックされ、さらにフック機構１０４の具体的構成によってプラスチック袋の一
部位はフック掛けられる。このため、プラスチック袋はフック機構１０４と入水管９１間
の隙間から入水管９１内に入ることが発生できないが、堆積泥はフック機構１０４と入水
管９１側壁間の隙間を介して吸込される。一方、浚渫が終わると、本装置を取り出して、
入水管９１の内部で水流の衝撃力がなくなり、復帰ばね１０３の弾性力によってプッシュ
ロッド１０２が入水管９１外へ移動させられ、さらにプラスチック袋を突き出す。したが
って、このような構成によって、プラスチック袋は入水管９１を閉塞することが防止され
る。さらに、浚渫作業際における向き角度を調節できる調節機構９が設けられているので
、様々な条件下での堆積泥浚渫に適用が可能である。また、閉塞防止機構１０が設けられ
てい流ので、廃棄プラスチック袋によって調節機構９を閉塞することがなくなる。また、
堆積泥を掻廻す掻廻機構が設けられているので、以降の浚渫作業に寄与できる。さらに、
位置制限構成６が設けられているので、浚渫機構８を掻廻機構と同期に縦方向に移動させ
ることができ、河道の深度にかかわらず、掻廻しおよび浚渫の作業が可能である。
【要約】      （修正有）【課題】河道の深度にかかわらずに掻廻しと浚渫の作業が可能である閉塞防止機構を備える河道浚渫装置を提供する。【解決手段】浚渫作業際における向き角度を調節できる調節機構９が設けられているので、様々な条件下での堆積泥浚渫に対しても適応が可能である。また、閉塞防止機構１０が設けられてい流ので、捨てられたプラスチック袋によって調節機構を閉塞することが防止される。また、河道に積み重ねた泥を掻廻す掻廻機構が設けられているので、以降の浚渫作業に寄与できる。さらに、位置制限構成が設けられているので、浚渫機構を掻廻機構と同期に縦方向に移動させることができ、河道の深度にかかわらずに掻廻しと浚渫の作業が可能である。【選択図】図１【図１】
0006886599.tif 000002
【図２】
0006886599.tif 000003
【図３】
0006886599.tif 000004
【図４】
0006886599.tif 000005
【図５】
0006886599.tif 000006
【図６】
0006886599.tif 000007